(57)【要約】【課題】レンズシフトに伴うチルトをセルフキャンセルし、ラジアルチルト可能な光ピックアップ装置及び光ディスク装置を提供することを目的とする。【解決手段】ヨーク５はマグネットａ９とマグネットｂ１０とを対向する磁束が互いに逆向きとなるよう配置し、２個のフォーカスコイル６を有し、２個のマグネットａ９に亘って巻回されたトラッキングコイルａ７と、２個のトラッキングコイルｂ８とを有することを特徴とする光ピックアップ装置である。【選択図】　図１
2004127422.tif 000002
【特許請求の範囲】
【請求項１】
対物レンズと、前記対物レンズを保持するレンズホルダと、前記レンズホルダを駆動する駆動手段とを有する可動部と、
前記可動部を弾性支持する弾性部材と、前記弾性部材の一端を支持固定するサスペンションホルダと、前記サスペンションホルダを支持すると共に前記駆動手段の磁気回路の一部を構成するヨークとを有する固定部とを有し、
前記ヨークは前記磁気回路を形成するための第１立設部と第２立設部とを形成して、前記第１立設部は第１磁石と第２磁石とを配置し、前記第２立設部は２個の立設ヨークに分岐してそれぞれ第３磁石と第４磁石とを配置し、互いに対向する前記第１磁石と前記第３磁石とを結ぶ磁束と互いに対向する前記第２磁石と前記第４磁石とを結ぶ磁束とが互いに逆向きとなるように前記第１から第４の磁石を配置し、
前記駆動手段はフォーカシング動作をするためのフォーカスコイルと、トラッキング動作をするためのトラッキングコイルとを有し、
前記フォーカスコイルは前記２個の立設ヨークにそれぞれ巻回された第１フォーカスコイルと第２フォーカスコイルとを有し、
前記トラッキングコイルは前記第１磁石と第２磁石とに亘って巻回された第１トラッキングコイルと、前記第１磁石に１の巻回辺を配置した第２トラッキングコイルと、前記第２磁石に１の巻回辺を配置した第３トラッキングコイルとを有することを特徴とする光ピックアップ装置。
【請求項２】
前記第１トラッキングコイルと前記第２トラッキングコイルとの隣接面を前記第１磁石の中央部分に配置し、前記第１トラッキングコイルと前記第３トラッキングコイルとの隣接面を前記第２磁石の中央部分に配置したことを特徴とする請求項１記載の光ピックアップ装置。
【請求項３】
前記第１トラッキングコイルと前記第２トラッキングコイルと前記第３トラッキングコイルとのフォーカス方向のそれぞれの高さを前記第１磁石と前記第２磁石とのフォーカス方向の長さと同じ長さとしたことを特徴とする請求項１記載の光ピックアップ装置。
【請求項４】
請求項１に記載の光ピックアップ装置を使用したことを特徴とする光ディスク装置。
【請求項５】
前記第１フォーカスコイルと前記第２フォーカスコイルとにそれぞれ独立に通電することにより、チルト制御を行うことを特徴とする請求項４記載の光ディスク装置。
【請求項６】
前記第１トラッキングコイルと前記第２トラッキングコイルおよび前記第１トラッキングコイルと前記第３トラッキングコイルとがそれぞれ互いに逆方向に巻線を巻回して直列接続し、チルトをセルフキャンセルすることを特徴とする請求項４記載の光ディスク装置。
【発明の詳細な説明】
【０００１】
【発明の属する技術分野】
本発明は、ＤＶＤ等の高密度記録ディスク、コンパクトディスク等の低密度記録ディスクを記録再生するために使用される光ピックアップ装置に関し、特に、レンズシフトに伴うチルトをセルフキャンセルし、ラジアルチルト可能な光ピックアップ装置に関するものである。また、この光ピックアップ装置を搭載した光ディスク装置に関するものである。
【０００２】
【従来の技術】
従来の光ピックアップ装置は、磁気回路の構造に伴って、フォーカス動作とトラッキング動作とを同時に行う（レンズシフトと略称する）と対物レンズに傾斜（チルトと略称する）を起こすことが知られていた。そこで、磁気回路の構造に工夫をこらし、レンズシフトをしてもそれによってチルトを起こさないようにした光ピックアップ装置が提案された（例えば、特許文献１参照。）。
【０００３】
【特許文献１】
特開平１０−０３１８２９号公報（第３−４頁、図４，５，６）
【０００４】
【発明が解決しようとする課題】
ＤＶＤ等の高密度記録ディスクが普及するのに伴い、従来のコンパクトディスク等の低密度記録ディスクと同様に再生、及び記録をすることができる光ディスク装置が要求されている。
【０００５】
ところが、高密度記録ディスクはその高い記録密度のために、対物レンズの傾斜角度に対する許容範囲（チルトマージン）がはるかに狭い。そこで、光ディスクに反りなどがあっても再生、及び記録をすることができる光ディスク装置が要求されている。
【０００６】
そこで、チルトをセルフキャンセルすることができる光ピックアップ装置とし、併せて、制御したチルトを加えることによって、レンズシフトに伴うチルトをセルフキャンセルし、ラジアルチルト可能な光ピックアップ装置を提供することを目的とする。
【０００７】
【課題を解決するための手段】
本発明は上記課題を解決するためになされたものであって、対物レンズと対物レンズを保持するレンズホルダとレンズホルダを駆動する駆動手段とを有する可動部と、可動部を弾性支持する弾性部材と弾性部材の一端を支持固定するサスペンションホルダとサスペンションホルダを支持すると共に駆動手段の磁気回路の一部を構成するヨークとを有する固定部とを有し、ヨークは磁気回路を形成するための第１立設部と第２立設部とを形成して第１立設部は第１磁石と第２磁石とを配置し第２立設部は２個の立設ヨークに分岐してそれぞれ第３磁石と第４磁石とを配置し互いに対向する第１磁石と第３磁石とを結ぶ磁束と互いに対向する第２磁石と第４磁石とを結ぶ磁束とが互いに逆向きとなるように第１から第４の磁石を配置し、駆動手段はフォーカシング動作をするためのフォーカスコイルとトラッキング動作をするためのトラッキングコイルとを有し、フォーカスコイルは２個の立設ヨークにそれぞれ巻回された第１フォーカスコイルと第２フォーカスコイルとを有し、トラッキングコイルは第１磁石と第２磁石とに亘って巻回された第１トラッキングコイルと、第１磁石に１の巻回辺を配置した第２トラッキングコイルと、第２磁石に１の巻回辺を配置した第３トラッキングコイルとを有することを特徴とする光ピックアップ装置である。
【０００８】
本発明によれば、レンズシフトに伴うチルトをセルフキャンセルし、ラジアルチルト可能な光ピックアップ装置を提供することができる。
【０００９】
【発明の実施の形態】
上記課題を解決するためになされた第１の発明は、可動部と固定部とを有し、ヨークは磁気回路を形成するための第１立設部と第２立設部とを形成して第１立設部は第１磁石と第２磁石とを配置し第２立設部は２個の立設ヨークに分岐してそれぞれ第３磁石と第４磁石とを配置し互いに対向する第１磁石と第３磁石とを結ぶ磁束と互いに対向する第２磁石と第４磁石とを結ぶ磁束とが互いに逆向きとなるように第１から第４の磁石を配置し、駆動手段はフォーカシング動作をするためのフォーカスコイルとトラッキング動作をするためのトラッキングコイルとを有し、フォーカスコイルは２個の立設ヨークにそれぞれ巻回された第１フォーカスコイルと第２フォーカスコイルとを有し、トラッキングコイルは第１磁石と第２磁石とに亘って巻回された第１トラッキングコイルと、第１磁石に１の巻回辺を配置した第２トラッキングコイルと、第２磁石に１の巻回辺を配置した第３トラッキングコイルとを有することを特徴とする光ピックアップ装置、としたものであり、レンズシフトに伴うチルトをセルフキャンセルし、ラジアルチルト可能な光ピックアップ装置を提供することができる。
【００１０】
【発明の実施の形態】
（実施の形態１）
以下、本発明の光ピックアップ装置について、図に基づいて説明する。図１は本発明の一実施の形態における光ピックアップ装置の斜視図であり、図２は図１の分解斜視図、図３は図１の磁気回路部分を説明する図である。図４は図１の磁気回路部分の動作を説明する図である。
【００１１】
図１および図２において、ヨーク５にサスペンションホルダー４が固定され、さらにサスペンションホルダー４に６本（または４本）のサスペンションワイヤー３が固定される。レンズホルダー２は対物レンズ１とフォーカスコイル６及びトラッキングコイルａ７およびトラッキングコイルｂ８を保持し、さらにレンズホルダー２をサスペンションワイヤー３により片持ち支持する。ヨーク５は、３本の立設ヨーク板部と立設ヨーク板部の相互を連結する水平ヨーク板部とを有し側面がコの字状に形成する。
【００１２】
立設ヨーク板部にマグネットａ９およびマグネットｂ１０が取り付けられ、さらにヨークは光ピックアップ装置ヘッドのキャリッジに固定される。なお、マグネットａ９は理解を容易にするために左右の２個に分離して図示したが、左右一体とし着磁領域を左右に分離しても同様に機能する。
【００１３】
図３において、図３（ａ）は図１の磁気回路部分の要部平面図であり、図３（ｂ）は図３（ａ）の側面図、および図３（ｃ）は図３（ａ）のＡ−Ａ線矢視図である。また、図３（ａ）に示すように、向かい合う２組のマグネットの磁界方向は矢印Ｊａおよび矢印Ｊｂに示すようにお互いに反対の方向に磁束が進む構成になっている。図４において、図４（ａ）は図３（ａ）のＡ−Ａ線矢視図であって、トラッキングコイルａ７およびトラッキングコイルｂ８が中立位置にある状態を表す。さらに、図４（ｂ）は、図４（ａ）からフォーカスシフトした状態を表し、図４（ｃ）は図４（ｂ）からさらにトラッキングシフトした状態を表す。
【００１４】
しかもフォーカスコイル６及びトラッキングコイルａ７、トラッキングコイルｂ８がマグネットａ９およびマグネットｂ１０の磁気回路の中に入るように配置されている。そして、フォーカスコイル６およびトラッキングコイルａ７、トラッキングコイルｂ８に電流を流すことにより、フレミングの左手の法則からレンズホルダー２をフォーカス方向とトラック方向に駆動することができる。
【００１５】
ここで２個のフォーカスコイル６を直列に配線した場合は、フォーカス方向の動作のみを行い、２個のフォーカスコイル６を並列に配線した場合は、独立したフォーカス方向の動作が可能となりフォーカス方向の駆動力に差をもたせることからラジアル方向のねじりチルトを発生させることが可能な構成となっている。
【００１６】
なお、図３ないし図４は、レンズホルダー２の挙動はフォーカスコイル６とトラッキングコイルａ７、トラッキングコイルｂ８により示すことができるので、対物レンズ１およびレンズホルダー２は図示を省略している。また、図３（ｃ）に示すように、トラッキングコイルａ７、トラッキングコイルｂ８の上下の水平部分はマグネットａ９およびマグネットｂ１０の上下の水平部分の端にかかるように構成されている。
【００１７】
以上のように構成された本発明の光ピックアップ装置について、その動作を説明する。図３（ａ）に示すように、ヨーク５にマグネットａ９およびマグネットｂ１０の磁極が配置され、矢印Ｊａおよび矢印Ｊｂの方向に磁場が進んでいるものとする。その時、例えば、図３（ａ）の矢印Ｉｆに示すようにフォーカスコイル６に通電されると、フレミングの左手の法則によりフォーカスコイル６は図４（ａ）の矢印Ｆｆの力を受け、レンズホルダー２は図４（ｂ）に示すように紙面上方へ移動する。
【００１８】
また同様に、例えば、図４（ｂ）の矢印Ｉｔに示すようにトラッキングコイルａ７、トラッキングコイルｂ８に通電されると、フレミングの左手の法則によりトラッキングコイルは矢印Ｆｔの力を受け、レンズホルダー２は図４（ｃ）に示すように紙面左方へ移動する。以上の通電の結果、レンズホルダー２は力Ｆｆと力Ｆｔの合成力を受け図４（ｃ）の位置に移動する。
【００１９】
その結果従来と同様に、図４（ｃ）において、フォーカスコイル６とトラッキングコイルａ７、トラッキングコイルｂ８とからなるコイルユニットが左側へオフセットした状態でフォーカス方向の力Ｆｆが働くため、図中矢印に示すように、レンズホルダー２は反時計方向の回転モーメント（Ｍｃｃｗ）Ｍｆを受ける。
【００２０】
他方、トラッキングコイルａ７、トラッキングコイルｂ８電流Ｉｔがマグネットａ９およびマグネットｂ１０に関わり合う部分は網線で示される水平部分となり、トラッキングコイルａ７にかかっている網線水平部により
図中の矢印Ｍｔａに示すように、レンズホルダー２は反時計方向の回転モーメント（Ｍｃｃｗ）を受ける。また、トラッキングコイルｂ８にかかっている網線水平部により図中の矢印Ｍｔｂに示すように、レンズホルダー２は時計方向の回転モーメント（Ｍｃｗ）を受ける。
【００２１】
こうして、レンズホルダー２には回転モーメントＭｆとＭｔａとＭｔｂが発生する。ここで、各回転モーメントの関係が下記式、
Ｍｆ＋Ｍｔａ＝Ｍｔｂ
となるようにトラッキングコイルａ７、トラッキングコイルｂ８およびマグネットａ９およびマグネットｂ１０の位置関係を設定する。これによりレンズホルダー２はその本来の姿勢を保ってフォーカス方向とトラッキング方向に移動し、傾きを生じることがなくなる。
【００２２】
なお、以上に説明した動作例について、フォーカスコイル６およびトラッキングコイルａ７、トラッキングコイルｂ８の電流の向き、及び、マグネットａ９およびマグネットｂ１０の磁場の方向のうちのいずれかが逆であれば、図４（ｃ）に示すレンズホルダー２の移動の方向も逆になるが、同一の動作原理で同一の効果を生じるので説明の重複を省略する。
【００２３】
【発明の効果】
以上に説明したように、本発明の光ピックアップ装置は、対物レンズを保持するレンズホルダーがフォーカス方向及びトラッキング方向に移動した際に、レンズホルダーを傾ける方向に生ずる力を、マグネットと関わり合うトラッキングコイルの水平部分に発生する力によって打ち消し合い、レンズホルダーの傾きを生じることを低減させるという効果を有する。さらに中央のトラッキングコイルに関してはコイルの両端面を駆動部として使用することから高効率で高感度なアクチュエータを実現することができる。
【図面の簡単な説明】
【図１】本発明の一実施の形態における光ピックアップ装置の斜視図
【図２】図１の分解斜視図
【図３】図１の磁気回路部分を説明する図
【図４】図１の磁気回路部分の動作を説明する図
【符号の説明】
１　対物レンズ
２　レンズホルダー
３　サスペンションワイヤー
４　サスペンションホルダー
５　ヨーク
６　フォーカスコイル
７　トラッキングコイルａ
８　トラッキングコイルｂ
９　マグネットａ
１０　マグネットｂ
【図１】
2004127422.tif 000003
【図２】
2004127422.tif 000004
【図３】
2004127422.tif 000005
【図４】
2004127422.tif 000006